(57)【要約】【課題】コンピュータデータの記録を行うホログラム記録媒体において記録媒体自体のデザイン性を向上させる。【解決手段】  ホログラムメモリとしての光記録媒体に第１の形式のデータとして例えばコンピュータデータを記録するとともに、第２の形式の記録データとして、人が光記録媒体上で視認可能な画像データを記録する。つまり容量の大きいコンピュータデータの記録媒体として用いながら、人が視覚で見ることのできる画像データをも記録させ、光記録媒体の外観上、その画像が見えるようにする。また第１の形式の記録データは、再生装置で読み取ることを前提とするコンピュータデータであることから、再生装置では、光記録媒体から第１，第２の形式の記録データの再生像を読み出した後、第１の形式の記録データのみを抽出する。【選択図】      図２
2006292989.tif 000002
【特許請求の範囲】
【請求項１】
記録データを記録単位毎に画像化し、該画像の物体光と参照光とを干渉させ、干渉縞によって上記記録データを記録する光記録媒体において、
第１の形式の記録データと、第２の形式の記録データとが記録されていることを特徴とする光記録媒体。
【請求項２】
上記第１の形式の記録データは、上記光記録媒体から読み出された後、情報処理装置によって処理されるコンピュータデータであり、
上記第２の形式の記録データは、上記光記録媒体に記録された状態で、人の視覚による認識が可能な画像データであることを特徴とする請求項１に記載の光記録媒体。
【請求項３】
上記コンピュータデータは、オーディオデータであることを特徴とする請求項２に記載の光記録媒体。
【請求項４】
上記第２の形式の記録データは、上記光記録媒体の記録平面に対する略垂直方向からの観測時に観測されるように記録されていることを特徴とする請求項２に記載の光記録媒体。
【請求項５】
上記光記録媒体に記録される複数の記録単位の各記録データは、
位置固定された読み出し参照光に対して、異なる観測位置において各々観測されることを特徴とする請求項１に記載の光記録媒体。
【請求項６】
上記光記録媒体に記録される複数の記録単位の各記録データは、
位置固定された観測位置に対して、異なる読み出し参照光位置において各々観測されることを特徴とする請求項１に記載の光記録媒体。
【請求項７】
上記光記録媒体に記録される第１の形式の記録データは、第１の波長の参照光を用いて記録され、
上記第２の形式の記録データは、上記第１の波長とは異なる第２の波長の参照光を用いて記録されたことを特徴とする請求項１に記載の光記録媒体。
【請求項８】
上記第１の形式の記録データとしての１又は複数の記録単位の記録データには、上記第１の形式の記録データであることを識別するための識別データが含まれていることを特徴とする請求項１に記載の光記録媒体。
【請求項９】
上記第１の形式の記録データとしての１又は複数の記録単位の記録データには、エラー訂正コードが含まれていることを特徴とする請求項１に記載の光記録媒体。
【請求項１０】
記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体に対してデータ再生を行う再生装置として、
読み出し参照光を出力する参照光出力手段と、
上記参照光出力手段により上記光記録媒体に読み出し参照光を与えた状態で、上記光記録媒体に記録された各記録単位毎の再生像を検出する検出手段と、
上記検出手段で検出された各記録単位毎の再生像をデータ列に変換すると共に、上記第１の形式のデータのみを抽出して再生データとして処理する再生処理手段と、
を備えたことを特徴とする再生装置。
【請求項１１】
上記参照光出力手段は、上記光記録媒体に対して固定の位置状態で読み出し参照光を照射し、
上記検出手段は、上記光記録媒体に対して観測位置を変化させながら、上記各記録単位毎の再生像を検出していくことを特徴とする請求項１０に記載の再生装置。
【請求項１２】
上記参照光出力手段は、上記光記録媒体に対して位置を変化させながら参照光を照射し、
上記検出手段は、固定の観測位置において、上記読み出し参照光の位置変化に応じて上記各記録単位毎の再生像を検出していくことを特徴とする請求項１０に記載の再生装置。
【請求項１３】
上記光記録媒体に記録される第１の形式の記録データは、第１の波長の参照光を用いて記録され、上記第２の形式の記録データは、上記第１の波長とは異なる第２の波長の参照光を用いて記録されており、
上記参照光出力手段は、上記第１の波長の参照光を出力することを特徴とする請求項１０に記載の再生装置。
【請求項１４】
上記光記録媒体に記録された上記第１の形式の記録データとしての１又は複数の記録単位の記録データには、上記第１の形式の記録データであることを識別するための識別データが含まれており、
上記再生処理手段は、上記識別データに基づいて上記第１の形式のデータのみを抽出することを特徴とする請求項１０に記載の再生装置。
【請求項１５】
上記光記録媒体に記録された上記第１の形式の記録データとしての１又は複数の記録単位の記録データには、エラー訂正コードが含まれており、
上記再生処理手段は、上記エラー訂正コードを用いた訂正処理結果に基づいて上記第１の形式のデータのみを抽出することを特徴とする請求項１０に記載の再生装置。
【請求項１６】
記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体に対する再生方法として、
読み出し参照光を上記光記録媒体に与えた状態で、上記光記録媒体に記録された各記録単位毎の再生像を検出する検出ステップと、
上記検出ステップで検出された各記録単位毎の再生像をデータ列に変換すると共に、上記第１の形式のデータのみを抽出して再生データとして処理する再生処理ステップと、
を備えたことを特徴とする再生方法。
【発明の詳細な説明】
【技術分野】
【０００１】
本発明は記録データに応じた画像の物体光と参照光とを干渉させ、干渉縞によって記録データを記録する光記録媒体、及びその再生装置、再生方法に関するものである。
【背景技術】
【０００２】
【特許文献１】特許第３５９６１７４号公報
【特許文献２】特許第３４９８８７８号公報
【０００３】
物体光と参照光の干渉縞によって例えば立体的に視認できる画像等を記録するホログラム記録媒体が知られている。
例えば上記特許文献１，２には、ホログラム記録の一手法であるホログラフィックステレオグラム方式として、多数の画像を原画とし、これらを１枚のホログラム記録媒体に短冊状又はドット状の要素ホログラムとして順次記録する技術が開示されている。
このホログラフィックステレオグラムでは、被写体を横方向の異なる観察点から順次撮影することにより得られた複数の画像の情報が、短冊状の要素ホログラムとして横方向に連続するように順次記録されることで、このホログラフィックステレオグラムを観察者が両目で見たとき、その左右の目にそれぞれ写る２次元画像は若干異なるものとなる。これにより、観察者は視差を感じることとなり、３次元画像が再生されることとなる。
【発明の開示】
【発明が解決しようとする課題】
【０００４】
ところでホログラム記録媒体は、記録密度を飛躍的に向上させ、著しい大容量化が可能であることも知られている。このためホログラム記録媒体は、３次元画像を再生のためだけでなく、例えばコンピュータデータとしての各種データを記録する記録媒体としても有用であると考えられている。
例えば上記ホログラフィックステレオグラム方式を応用する場合、コンピュータデータを所定の記録単位毎に２次元画像化する。例えばいわゆる二次元バーコード（ＱＲコード）のような画像パターンを生成する。そして記録単位毎の２次元画像としての画像パターンを多数生成し、それぞれを短冊状の要素ホログラムとして記録していく。このようにすると、従来の印刷による二次元バーコードに比べて記録密度を飛躍的に向上させることが可能となる。
【０００５】
ところが、当然ながら、このようにホログラム記録媒体にコンピュータデータを記録する場合、あくまでも専用の読み取り装置でデータを再生することを前提となっており、そのホログラム記録媒体に対する視認性は考慮されない。
つまり、コンピュータデータを記録した場合、人がそのホログラム記録媒体を見たときの見た目としては、二次元バーコードと同様のランダムなドット模様が見えるのみである。
【０００６】
そこで本発明は、コンピュータデータの記録を行うホログラム記録媒体において、見た目、つまり記録媒体自体のデザイン性を向上させることを目的とする。
【課題を解決するための手段】
【０００７】
本発明の光記録媒体は、記録データを記録単位毎に画像化し、該画像の物体光と参照光とを干渉させ、干渉縞によって上記記録データを記録する光記録媒体であり、第１の形式の記録データと、第２の形式の記録データとが記録されている。
上記第１の形式の記録データは、上記光記録媒体から読み出された後、情報処理装置によって処理されるコンピュータデータであり、上記第２の形式の記録データは、上記光記録媒体に記録された状態で、人の視覚による認識が可能な画像データである。上記コンピュータデータは、例えばオーディオデータである。
また、上記第２の形式の記録データは、上記光記録媒体の記録平面に対する略垂直方向からの観測時に観測されるように記録されている。
また上記光記録媒体に記録される複数の記録単位の各記録データは、位置固定された読み出し参照光に対して、異なる観測位置において各々観測される。
また上記光記録媒体に記録される複数の記録単位の各記録データは、位置固定された観測位置に対して、異なる読み出し参照光位置において各々観測される。
また、上記光記録媒体に記録される第１の形式の記録データは、第１の波長の参照光を用いて記録され、上記第２の形式の記録データは、上記第１の波長とは異なる第２の波長の参照光を用いて記録されている。
また上記第１の形式の記録データとしての１又は複数の記録単位の記録データには、上記第１の形式の記録データであることを識別するための識別データが含まれている。
また上記第１の形式の記録データとしての１又は複数の記録単位の記録データには、エラー訂正コードが含まれている。
【０００８】
本発明の再生装置は、記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体に対してデータ再生を行う再生装置である。そして、読み出し参照光を出力する参照光出力手段と、上記参照光出力手段により上記光記録媒体に読み出し参照光を与えた状態で、上記光記録媒体に記録された各記録単位毎の再生像を検出する検出手段と、上記検出手段で検出された各記録単位毎の再生像をデータ列に変換すると共に、上記第１の形式のデータのみを抽出して再生データとして処理する再生処理手段とを備える。
また上記参照光出力手段は、上記光記録媒体に対して固定の位置状態で読み出し参照光を照射し、上記検出手段は、上記光記録媒体に対して観測位置を変化させながら、上記各記録単位毎の再生像を検出していく。
或いは、上記参照光出力手段は、上記光記録媒体に対して位置を変化させながら参照光を照射し、上記検出手段は、固定の観測位置において、上記読み出し参照光の位置変化に応じて上記各記録単位毎の再生像を検出していく。
或いは、上記光記録媒体に記録される第１の形式の記録データは、第１の波長の参照光を用いて記録され、上記第２の形式の記録データは、上記第１の波長とは異なる第２の波長の参照光を用いて記録されており、上記参照光出力手段は、上記第１の波長の参照光を出力する。
また上記光記録媒体に記録された上記第１の形式の記録データとしての１又は複数の記録単位の記録データには、上記第１の形式の記録データであることを識別するための識別データが含まれており、上記再生処理手段は、上記識別データに基づいて上記第１の形式のデータのみを抽出する。
また上記光記録媒体に記録された上記第１の形式の記録データとしての１又は複数の記録単位の記録データには、エラー訂正コードが含まれており、上記再生処理手段は、上記エラー訂正コードを用いた訂正処理結果に基づいて上記第１の形式のデータのみを抽出する。
【０００９】
本発明の再生方法は、記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体に対する再生方法として、読み出し参照光を上記光記録媒体に与えた状態で、上記光記録媒体に記録された各記録単位毎の再生像を検出する検出ステップと、上記検出ステップで検出された各記録単位毎の再生像をデータ列に変換すると共に上記第１の形式のデータのみを抽出して再生データとして処理する再生処理ステップとを備える。
【００１０】
即ち本発明の光記録媒体は、第１の形式のデータとして例えばコンピュータデータを記録するとともに、第２の形式の記録データとして、人が光記録媒体上で視認可能な画像データを記録する。つまり容量の大きいコンピュータデータの記録媒体として用いながら、人が視覚で見ることのできる画像データをも記録させ、光記録媒体の外観上、その画像が見えるようにする。
また第１の形式の記録データは、再生装置で読み取ることを前提とするコンピュータデータであることから、本発明の再生装置、再生方法は、光記録媒体から第１，第２の形式の記録データの再生像を読み出した後、第１の形式の記録データのみを抽出する。
【発明の効果】
【００１１】
本発明では、コンピュータデータ等の第１の形式の記録データを記録したホログラムメモリとしての光記録媒体に、第２の形式の記録データとして例えば視認できる画像データを混在させている。このため、本来のデータ記録媒体という目的を満足しつつ、かつ同時にデザイン性の高く、見た目に興味深い光記録媒体を実現できるという効果がある。
またこのような本発明の光記録媒体に対する本発明の再生装置、再生方法としては、光記録媒体から第１，第２の形式の記録データの再生像を読み出した後、第１の形式の記録データのみを抽出することで、適正なデータ再生処理が可能となる。
【発明を実施するための最良の形態】
【００１２】
以下、本発明の実施の形態を次の順序で説明する。
［１．ホログラフィックステレオグラム方式のホログラムメモリ］
［２．ホログラムメモリの生成］
［３．再生装置構成］
［４．ホログラムメモリに対する再生動作］
［５．他の方式のホログラムメモリ及び再生動作］
［６．実施の形態の効果及び変形例］
【００１３】
［１．ホログラフィックステレオグラム方式のホログラムメモリ］
本発明の光記録媒体の実施の形態として、物体光と参照光によって生じる干渉縞によりデータを記録するホログラムメモリを挙げる。ホログラムメモリにはさまざまな方式があるが、ここではホログラフィックステレオグラム（Holographic Stereogram）方式のホログラムメモリを例に挙げる。
【００１４】
実施の形態のホログラムメモリでは、第１の形式の記録データとして、コンピュータ装置その他の情報処理装置によって処理されるコンピュータデータと、第２の形式の記録データとして、ホログラムメモリに記録された状態で、人の視覚による認識が可能な画像データとを混在記録させるものである。
なお、第２の形式の記録データの例として以下でいう「画像データ」とは、特に注記しない限りは、ユーザーがホログラムメモリを見たときに視覚上で画像として認識されるデータであり、後述する再生装置に読み取られて情報処理される対象となる画像のデータのことではない。情報処理装置で処理されるコンピュータユースの「画像データ」を記録するすることも考えられるが、その場合、その「画像データ」は、コンピュータデータの一例であり、本例でいう第１の形式の記録データに相当する。
また以下の説明では、第１の形式の記録データであるコンピュータデータの一例としてオーディオデータを挙げる。
【００１５】
従来より知られているように、ホログラフィックステレオグラム方式のホログラムメモリに視認可能な立体画像を記録する場合、様々な角度から撮影した物体の画像をホログラム材料上に垂直の帯状に記録する。すると記録済みのホログラムに参照光を当てると、見る角度によりそれに応じた画像を観察することができ、人には立体画像として認識される。
本実施の形態では、ホログラム材料上の垂直の帯状として記録されるホログラム要素として、一部には画像データを記録させ、一部にはオーディオデータを記録させることで、オーディオデータと画像データを混在記録する。
【００１６】
図１には、オーディオデータと画像データをホログラムメモリに混在記録することを模式的に示している。
図１（ｂ）はホログラム材料３０に帯状にホログラム要素を記録する状態を表している。ホログラム材料３０には物体光Ｌ４と記録用の参照光Ｌ３が照射される。
例えば液晶パネルによる透過型の表示装置４１に画像を表示した状態で、表示装置４１に物体光Ｌ４を照射する。表示装置４１を通過した物体光Ｌ４は、表示装置４１に表示された画像を反映した物体光となるが、この物体光Ｌ４はシリンドリカルレンズ４２で垂直方向の線状に収束されてホログラム材料３０に照射される。
この線状に収束された物体光Ｌ４と参照光Ｌ３が干渉した際の干渉縞が、図示するように垂直方向の帯状のホログラム要素としてホログラム材料３０に記録されることになる。
【００１７】
ここで、帯状の各ホログラム要素を生成していくためには、ホログラム材料３０を例えば矢印Ｈ方向に１段階ずつ送るとともに、表示装置４１に表示する画像を変化させていく。すると、干渉縞としての帯状のホログラム要素がホログラム材料３０上に格子状に形成されていくことになる。
このとき、或る物体を様々な角度から撮影した画像を順次表示装置４１に表示させて、それぞれホログラム要素として記録していくと、視認上で立体画像が見える状態になるが、本例の場合、表示装置４１に表示させる画像として、オーディオデータを２次元バーコード状に表現したパターンを含むものとする。即ちオーディオデータを、２次元バーコード状のパターン画像とし、これを記録されるホログラム要素とする。
【００１８】
図１（ａ）に、表示装置４１に順次表示させる画像の例を示す。
表示装置４１には、オーディオデータＤAと画像データＤPに基づく画像を順次表示させることになる。
オーディオデータＤAに基づく画像は、図示するように、二次元バーコード状の画像である。記録しようとする元々のオーディオデータについては、例えば固定長のデータサイズ毎などとしての記録単位毎に分割し、その各記録単位のオーディオデータを二次元バーコード画像パターンに変換する。
その二次元バーコード状の画像パターンを表示装置４１に表示させた場合、当該画像パターンを反映した物体光Ｌ４がホログラム材料３０に照射され、参照光Ｌ３との干渉縞によって該画像パターンを記録した線状のホログラム要素が形成される。即ちオーディオデータＤAの１つの記録単位がホログラム材料３０に記録されることになる。
そこで、図１（ａ）のようにオーディオデータＤAに基づく画像と、或る被写体を撮影して得られた画像データＤPに基づく画像を、所定の順序（＃１・・・＃ｘ）で表示装置４１に表示させながら、ホログラム材料３０にホログラム要素を形成していくと、オーディオデータＤAと画像データＤPを混在記録したホログラムメモリが形成できる。
【００１９】
図２に、そのようにして形成されたホログラムメモリ１の様子を示している。
各ホログラム要素として記録されたデータは、人が視認できる画像としてホログラムメモリ１上にあらわれる。この場合、ホログラムメモリ１に対しては、或る方向に配置された光源からの光や、周囲の自然光等の外光が参照光となる。
上記図１（ａ）のような＃１・・・＃ｘの順序でオーディオデータＤA、画像データＤPを記録していった場合、例えば図２のように、ホログラムメモリ１に対して、角度θ１の範囲からは、＃１〜＃ｎのオーディオデータＤAの画像パターンが視認できる。また略正面方向である角度θ２の範囲では、＃ｎ＋１〜＃ｍの画像データＤPの画像が視認できる。さらに角度θ３の範囲からは、＃ｍ＋１〜＃ｘのオーディオデータＤAの画像パターンが視認できる。
【００２０】
オーディオデータＤAによる画像パターンは、二次元バーコードのように、人が意味的にその内容を認識できる画像ではないが、画像データＤPによる画像は、ホログラムメモリ１に対して略正面に対峙した人２００がその画像自体を認識できるものである。
オーディオデータＤAによる画像パターンについては、再生装置が読み取ってデータ処理するものとされる。再生装置は、図示する読取範囲θ０で、各画像をイメージセンサで読み取っていく。即ち＃１〜＃ｎのオーディオデータＤAによる画像パターン、＃ｎ＋１〜＃ｍの画像データＤPの画像、及び＃ｍ＋１〜＃ｘのオーディオデータＤAの画像パターンを、それぞれ読み取っていく。例えば再生装置のレンズ系の位置を順次移動させたり、或いは読み出しのための参照光の位置を順次移動させながら、各光像をイメージセンサで読み取っていく。そして各イメージパターンをデータにデコードする。このとき再生装置内でのデータ処理過程で、＃ｎ＋１〜＃ｍの画像データＤPを破棄し、＃１〜＃ｎ及び＃ｍ＋１〜＃ｘの読み出し画像パターンからデコードしたオーディオデータＤAとしての各記録単位のデータのみを抽出する。そして各記録単位のデータからオーディオデータＤAとしてのストリームデータを生成する。
【００２１】
つまり本例のホログラムメモリ１は、ホログラムメモリの高密度記録という特性を生かしてオーディオデータＤA等のコンピュータデータを十分な容量、記録できるだけでなく、人２００が略正面方向から見たときに、画像自体を認識できるため、ホログラムメモリ１自体をデザイン性の高いものとすることができる。
また例えばオーディオデータＤAを記録することを想定した場合、音楽データとしてのオーディオデータＤAを記録すると共に、その音楽のアーティスト写真やジャケット画像を画像データＤPとして記録すれば、付加価値の高いホログラムメモリ１を実現できる。例えばユーザーは視認できる画像によってアーティストや音楽の内容を認識しながら、再生装置によって、その音楽自体（オーディオデータＤA）を読み取っていくことが可能となる。
【００２２】
なお、当然ながら、ある角度範囲での視認可能な像を画像データＤPの像とした場合、その画像データＤPを記録した分だけ、オーディオデータＤA等のコンピュータデータの記録容量は減少する。但しこれは逆に言えば、オーディオデータＤA等の記録に必要な容量を設定した上で、残りの容量として、画像データＤPを記録するものとすればよいものである。つまり、どのくらいの角度範囲でデザイン上有効な画像が見えるようにするか（画像データＤPの記録容量をどれくらいとするか）というのは、記録しようとするコンピュータデータの容量と、デザイン上の観点を勘案して、決められればよい。
また、必ずしも正面方向から画像データＤPによる像が視認できるようにする必要はなく、例えばホログラムメモリ１に対して人２００が斜め方向から見たときのみ画像データＤPによる像が認識できるようにすることも考えられる。
【００２３】
［２．ホログラムメモリの生成］
次に、上記のようなホログラムメモリ１を形成するためのデータ記録装置、即ちホログラフィックステレオグラム作成システムについて説明する。
このホログラフィックステレオグラム作成システムは、物体光と参照光との干渉縞が記録されたフィルム状のホログラム材料３０をそのままホログラフィックステレオグラム（ホログラムメモリ１）にする、いわゆるワンステップホログラフィックステレオグラムを作成するシステムである。
【００２４】
ホログラフィックステレオグラム作成システムは、図３に示すように、ホログラム材料３０に記録する画像の画像データＤPを生成する画像データ生成部１１と、同じくホログラム材料３０に記録するオーディオデータＤAを生成するオーディオデータ生成部１２と、画像データＤPとしての画像と、オーディオデータＤAについての画像パターンとを順次記録データとして出力する記録データ生成部１３と、このシステム全体の制御を行う制御用コンピュータ１４と、ホログラフィックステレオグラム作成用の光学系を有するホログラフィックステレオグラムプリンタ装置１５とを備えている。
【００２５】
画像データ生成部１１は、ホログラム材料３０に記録される複数の要素ホログラムに対応した複数の画像の画像データＤPを生成する。即ち図１，図２に示した＃ｎ＋１〜＃ｍとしての複数の画像データＤPを生成する。ホログラムメモリ１に記録され、視認される画像を立体画像とする場合は、画像データ生成部１１は、＃ｎ＋１〜＃ｍの各画像データＤPを、いわゆる視差画像列としての画像とすればよい。
【００２６】
オーディオデータ生成部１２は、オーディオソースからのオーディオストリームデータを所定データサイズの記録単位に分割する。そして各記録単位毎にオーディオデータＤAを二次元パターンに変換する。即ち図１，図２に示した＃１〜＃ｎ、及び＃ｍ＋１〜＃ｘとしてオーディオデータＤAに基づいた複数の画像パターンとしてのデータを生成する。
図４にオーディオデータ生成部１２におけるオーディオデータＤAの処理例を示す。
図４におけるデータブロックとは、ストリームデータとしてのオーディオデータを所定サイズ毎に抽出して生成した記録単位のことを表している。
図４（ａ）の例は、所定データ量としてのオーディオデータに対してヘッダを付加して１つのデータブロックを生成し、これを１記録単位、つまり１つのホログラム要素として記録される単位とする例である。
ヘッダには、オーディオデータとしての属性、ブロックナンバ、データサイズなどが記録される。
オーディオデータは、オーディオソースから得られたデータをそのまま用いても良いし、所定の圧縮方式或いは記録用のエンコードが施されたデータとしても良い。さらには、所定の暗号化方式での暗号化が施されたオーディオデータであってもよい。
図４（ｂ）の例は、上記ヘッダ及びオーディオデータに加えて、識別コードを記録したデータブロックを生成する例である。識別コードとは、ホログラムメモリ１に記録されているホログラム要素として、画像データＤPと区別するためのコード情報であり、つまり識別コードによってオーディオデータＤAが記録されたデータブロックであることを示すものとしている。
図４（ｃ）の例は、ヘッダ、オーディオデータ、エラー訂正コード（ＥＣＣ）によりデータブロックが形成される例である。つまりデータブロック内のオーディオデータに対してエラー訂正用のエンコードが施され、そのＥＣＣパリティが記録されることで、再生時に、データブロック単位でエラー訂正処理が可能となるようにしている。
図４（ｄ）の例は、上記のヘッダ、識別コード、オーディオデータ、エラー訂正コードを備えるようにしてデータブロックを形成する例である。
オーディオデータ生成部１２は、データソースから与えられたオーディオストリームデータに対して、例えばこの図４（ａ）〜（ｄ）の例のように、１記録単位毎のデータブロックを生成していくと共に、各データブロックを二次元画像パターンのデータに変換して出力する。
【００２７】
記録データ生成部１３は、画像データ生成部１１からの各画像データＤPと、オーディオデータ生成部１２からの各オーディオデータＤAによる画像パターンとを取り込み、＃１〜＃ｘの順序にデータを配列して記録データＤRとする。
そして記録データ生成部１３は、ホログラム材料３０に対する記録時に、＃１〜＃ｘの順序の記録データＤR（画像データＤP、及びオーディオデータＤAに基づく画像パターンのデータ）を順次、ホログラフィックステレオグラムプリンタ装置１５に送出するとともに、ホログラフィックステレオグラムプリンタ装置１５に記録データＤRを送出する毎に、データを送出したことを示すタイミング信号Ｓ１を制御用コンピュータ１４に送出する。
【００２８】
制御用コンピュータ１４は、記録データ生成部１３からのタイミング信号Ｓ１に基づいてホログラフィックステレオグラムプリンタ装置１５を駆動し、記録データ生成部１３から出力された記録データＤRに基づく画像を、ホログラフィックステレオグラムプリンタ装置１５内にセットされたホログラム材料３０に、短冊状の要素ホログラムとして順次記録する。
このとき、制御用コンピュータ１４は、後述するように、ホログラフィックステレオグラムプリンタ装置１５に設けられたシャッタ及び記録媒体送り機構等の制御を行う。すなわち、制御用コンピュータ１４は、ホログラフィックステレオグラムプリンタ装置１５に制御信号Ｓ２を送出して、シャッタの開閉や、記録媒体送り機構によるホログラム材料３０の送り動作等を制御する。
【００２９】
ホログラフィックステレオグラムプリンタ装置１５は、例えば図５に示す光学系を備える。なお、図５（ａ）は、ホログラフィックステレオグラムプリンタ装置３全体の光学系を上方から見た図であり、図５（ｂ）は、ホログラフィックステレオグラムプリンタ装置３の光学系の物体光用の部分を横方向から見た図である。
【００３０】
ホログラフィックステレオグラムプリンタ装置１５は、図５（ａ）に示すように、所定の波長のレーザ光を出射するレーザ光源３１と、レーザ光源３１からのレーザ光Ｌ１の光軸上に配されたシャッタ３２と、ハーフミラー３３とを備えている。シャッタ３２は、制御用コンピュータ１４によって制御され、ホログラム材料３０を露光しないときには閉じられ、ホログラム材料３０を露光するときに開放される。また、ハーフミラー３３は、シャッタ３２を通過してきたレーザ光Ｌ２を、参照光と物体光とに分離するためのものであり、ハーフミラー３３によって反射された光Ｌ３が参照光となり、ハーフミラー３３を透過した光Ｌ４が物体光となる。
【００３１】
ハーフミラー３３によって反射された光Ｌ３の光軸上には、参照光用の光学系として、シリンドリカルレンズ３４と、参照光を平行光とするためのコリメータレンズ３５と、コリメータレンズ３５からの平行光を反射する全反射ミラー３６とがこの順に配置されている。
そして、ハーフミラー３３によって反射された光は、先ず、シリンドリカルレンズ３４によって発散光とされる。次に、コリメータレンズ３５によって平行光とされる。その後、全反射ミラー３６によって反射され、ホログラム材料３０に参照光として入射する。
【００３２】
一方、ハーフミラー３３を透過した光Ｌ４の光軸上には、図５（ａ）及び図５（ｂ）に示すように、物体光用の光学系として、ハーフミラー３３からの透過光を反射する全反射ミラー３８と、凸レンズとピンホールを組み合わせたスペーシャルフィルタ３９と、物体光を平行光とするためのコリメータレンズ４０と、記録対象の画像を表示する表示装置４１と、物体光をホログラム用記録媒体３０上に集光させるシリンドリカルレンズ４２とがこの順に配置されている。
そして、ハーフミラー３３を透過した光Ｌ４は、全反射ミラー３８によって反射された後、スペーシャルフィルタ３９によって点光源からの拡散光とされる。次に、コリメータレンズ４０によって平行光とされ、その後、表示装置４１に入射する。ここで、表示装置４１は、例えば液晶パネルからなる透過型の画像表示装置であり、記録データ生成部１３から送られた記録データＤRに基づく画像を表示する。そして、表示装置４１を透過した光は、表示装置４１に表示された画像に応じて変調された後、シリンドリカルレンズ４２に入射する。
【００３３】
表示装置４１を透過した光は、シリンドリカルレンズ４２により横方向に集束され、この集束光が物体光としてホログラム用記録媒体３０に入射する。すなわち、このホログラフィックステレオグラムプリンタ装置１５では、表示装置４１からの投影光が短冊状の物体光としてホログラム用記録媒体３０に入射する。
【００３４】
ここで、参照光及び物体光は、参照光がホログラム材料３０の一方の主面に入射し、物体光がホログラム材料３０の他方の主面に入射するようにする。すなわち、ホログラム材料３０の一方の主面に、参照光を所定の入射角度にて入射させるとともに、ホログラム材料３０の他方の主面に、物体光をホログラム材料３０に対して光軸がほぼ垂直となるように入射させる。これにより、参照光と物体光とがホログラム材料３０上において干渉し、当該干渉によって生じる干渉縞が、ホログラム材料３０に屈折率の変化として記録される。
【００３５】
また、このホログラフィックステレオグラムプリンタ装置１５は、制御用コンピュータ１４の制御のもとに、ホログラム材料３０を間欠送りし得る記録媒体送り機構４３を備えている。この記録媒体送り機構４３は、記録媒体送り機構４３に所定の状態でセットされたフィルム状のホログラム材料３０に対して、記録データ生成部１３から出力された記録データＤRに基づく１つの画像が１つの要素ホログラムとして記録される毎に、制御用コンピュータ１４からの制御信号Ｓ２に基づいて、ホログラム材料３０を１要素ホログラム分だけ間欠送りする。これにより、記録データ生成部１３から出力される記録データＤRに基づく各画像（画像データＤP及びオーディオデータＤAに基づく画像パターン）が、要素ホログラムとして、ホログラム材料３０に横方向に連続するように順次記録される。
【００３６】
以上のように、このホログラフィックステレオグラム作成システムでは、記録データ生成部１３から出力される記録データＤRに基づく複数の露光用画像が表示装置４１に順次表示されるとともに、各画像毎にシャッタ３２が開放され、各画像がそれぞれ短冊状の要素ホログラムとしてホログラム材料３０に順次記録される。このとき、ホログラム材料３０は、１画像毎に１要素ホログラム分だけ送られるので、各要素ホログラムは、横方向に連続して並ぶこととなる。これにより、画像データＤPとして、例えば横方向の視差情報を含む複数の画像が、横方向に連続した複数の要素ホログラムとしてホログラム材料３０に記録され、横方向の視差を有するホログラフィックステレオグラムが得られるとともに、オーディオデータＤAによる画像パターンも同じく横方向に連続した複数の要素ホログラムとして記録される。
そして、このシステムでデータＤRの記録を行ったホログラム材料３０が、図２で説明した本例のホログラムメモリ１となる。
【００３７】
［３．再生装置構成］
続いて、図２のように画像データＤPとオーディオデータＤAとしての画像が記録された本例のホログラムメモリ１に対する再生装置を説明する。上述したように、記録された画像データＤPによる像はユーザーは直接視認するものであり、本例の再生装置は、記録されたコンピュータデータ、つまり上記例でのオーディオデータＤAを、ホログラムメモリ１から再生する装置である。
【００３８】
図６（ａ）（ｂ）は、それぞれホログラムメモリリーダーとしての本例の再生装置５０の外観例を示している。
再生装置５０は、例えばユーザーが携帯可能な小型の筐体で構成され、筐体上にユーザーインターフェースのための表示部５１や操作部５２が設けられる。
ホログラムメモリ１に対するデータ読取のためには、例えば筐体の一側面に、撮像レンズ系５３や読取のための参照光を照射する発光素子（ＬＥＤ）５４が設けられる。
図２に示したように、再生装置５０はホログラムメモリ１に対して読取範囲θ０の読取スキャンを行う。このため、例えば図６（ａ）の場合は、発光素子５４の位置は固定されるが、レンズ移動部５３ａとして、撮像レンズ系５３の位置を移動させる機構が設けられている。また例えば図６（ｂ）は、撮像レンズ系５３は固定されるが、発光素子５４の位置を移動させる発光素子移動部５４ａが設けられている。
読取時のスキャン動作の例については後述する。
【００３９】
図７により再生装置５０の構成を説明する。
図７においてシステムコントローラ６１は、例えばマイクロコンピュータにより形成され、ホログラムメモリ１からのオーディオデータＤAの読取のための動作を実行するために各部を制御する。
またシステムコントローラ６１は操作部５２の操作情報を監視し、ユーザーの操作に応じて必要な制御を行う。またシステムコントローラ６１は、表示部５１を制御してユーザーに提示する各種の情報の表示を実行させる。
【００４０】
読取機構部５６は、撮像レンズ系５３、イメージャ５５，発光素子５４、スキャン機構７４を有する。撮像レンズ系５３は、１又は複数のレンズにより構成される光学系である。１枚の撮像レンズ、或いは撮像レンズとフォーカスレンズ等を備えた複数のレンズにより構成され、ホログラムメモリ１からの再生像光をイメージ５５に導く。イメージャ５５は、例えばＣＭＯＳイメージセンサやＣＣＤイメージセンサ等の固体撮像素子アレイによって構成され、撮像レンズ系５３により入射した再生像の光を受光し、電気信号に変換する。
【００４１】
例えばＬＥＤによる発光素子５４は、発光駆動回路７５によって発光される。発光素子５４は、当該再生装置５０によってホログラムメモリ１の再生を行う場合に、システムコントローラ６１の指示によって発光素子５４を発光駆動する。
スキャン機構７４は、例えば図６（ａ）のように設けられているレンズ移動部５３ａ内で、レンズ系５３（レンズ系５３とイメージャ５５）を移動させる機構である。或いは図６（ｂ）のように設けられている発光素子移動部５４ａ内で発光素子５４を移動させる機構である。
【００４２】
カメラメカ制御部６７は、ホログラムメモリ１の再生を行う際に、システムコントローラ６１の指示に応じて読取機構部５６を駆動制御する。例えばレンズ系５３におけるフォーカス制御や、スキャン機構７４の動作を制御する。
【００４３】
転送制御／信号処理部６２は、イメージャ５５の動作を制御すると共に、イメージ５５によって得られる信号の処理を行う。
即ち転送制御／信号処理部６２は、イメージャ５５に対して転送タイミング信号、転送アドレス信号等を供給して、撮像信号としての固体撮像素子アレイで得られる信号を順次転送出力させる。そしてイメージャ５５から転送されたきた撮像信号について、サンプリング処理、ＡＧＣ処理、Ａ／Ｄ変換処理等を施し、撮像データとして出力する。
【００４４】
転送制御／信号処理部６２から出力される撮像データは、メモリコントローラ６３の制御によってＤＲＡＭ６４に蓄積される。
ＤＲＡＭ６４に蓄積された撮像データに関する信号処理系として、光学補正部６８、幾何歪み補正部６９、二値化部７０、データ処理部７１が設けられる。またこれらの各部の処理結果や処理に必要な情報についてのシステムコントローラ６１とのやりとりにＳＲＡＭ７２が用いられる。
また、フラッシュメモリ６５には、例えば上記各部での信号処理に必要な設定値、係数、その他必要な情報が記憶される。
【００４５】
光学補正部６８は、イメージャ５５によって得られる撮像データについて光学的な原因によるデータ値の変動を補正する処理を行う。
幾何歪み補正部６９は、撮像データとして取り込まれた再生像に生じている幾何的な歪みを補正する処理を行う。
二値化部７０は、イメージャ５５によって得られる階調のある撮像データを白黒の二値に変換する処理を行う。ホログラムメモリ１から読み取るべきデータは、二次元パターン化されたオーディオデータＤAであり、二次元画像パターンは、オーディオデータＤAを白黒の二値のデータに変換した上で画像パターンにしたものであるからである。
【００４６】
データ処理部７１は、二次元の画像パターンとして二値化された撮像データについて、デコード処理を行い、オーディオデータを得る。
即ち、１枚の二次元画像パターンとしての撮像データから、図４に示したような１つのデータブロックとしてのデータ列を生成する。
１つのデータブロックとして得たデータ列については、ヘッダ情報に応じてオーディオデータＤAを抽出する。
データ処理部７１は、ＤＲＡＭ６４に蓄積された各二次元画像パターンの撮像データについて、それぞれデータブロックとしてのデータ列を生成していき、各データブロックから抽出されたオーディオデータＤAに基づいて、元のオーディオストリームデータを生成していく。
この場合において、データブロックが図４（ｃ）（ｄ）のようにエラー訂正コードが含まれているのであれば、データ処理部７１はオーディオデータのエラー訂正処理を行うことになる。
また、データ処理部７１は、データブロックから抽出したオーディオデータＤAについて、圧縮処理や圧縮に対する伸長処理、送信用又は記録用のエンコード処理、或いは暗号化に対するデコード処理等を行うようにしてもよい。
【００４７】
ところで、ホログラムメモリ１に対して図２の読取範囲θ０としての全ての再生像を撮像データとして取り込み、ＤＲＡＭ６４に蓄積していく場合、画像データＤPとしての再生像も撮像データとして含まれることになる。
このためデータ処理部７１は、ＤＲＡＭ６４に蓄積された各撮像データについて、オーディオデータＤAを含むデータブロックの二次元画像パターンの再生像の撮像データであるのか、或いは画像データＤPの再生像であるのかを判別し、画像データＤPの再生像である撮像データについては破棄する処理も行う。
例えばデータブロックが図４（ｂ）又は図４（ｄ）の構成とされる場合、データ処理部７１は、データブロック内で識別コードが存在しているか否かで、撮像データが、オーディオデータＤAの再生像であるのか、画像データＤPの再生像であるのかを判別できる。
またデータブロックが図４（ｃ）又は図４（ｄ）の構成とされる場合、ＥＣＣパリティを用いて正しくエラー訂正処理ができれば、その撮像データはオーディオデータＤAの再生像の撮像データであり、正しくエラー訂正処理ができなければ画像データＤPの再生像であると判別するようにしてもよい。
また、データブロックが図４（ａ）のように識別コードが存在せず、またエラー訂正コードも含まれていない場合は、そのデータブロックの形式やデータ内容を確認して判別する手法が考えられる。例えばヘッダ情報としての決められた意味のある情報が含まれていればオーディオデータＤAのデータブロックとして採用することが考えられる。またデータブロックから抽出したオーディオデータを繋げてオーディオストリームデータを生成する際には、そのデータブロックナンバを確認することになるが、その場合、画像データＤPにはストリームデータとしての順序を示すデータブロックナンバは存在しないため、結果として画像データＤPの再生像から得られるデータは除外できることになる。
【００４８】
データ処理部７１で得られたオーディオデータＤAとしてのオーディオストリームデータは、外部インターフェース６６を介して外部装置、例えばパーソナルコンピュータやオーディオシステム等の外部装置に、ホログラムメモリ１からの再生データとして転送される。外部インターフェース６６は例えばＵＳＢインターフェース等が想定される。もちろん外部インターフェース６６はＵＳＢ以外の規格のインターフェースでもよい。
ユーザーは外部装置側で取り込んだオーディオデータを再生させることで、オーディオ再生を楽しむことができる。
【００４９】
またデータ処理部７１で得られたオーディオデータＤAとしてのオーディオストリームデータは、メディアドライブ７３に供給されて記録メディア９０に記録されるようにしてもよい。
記録メディア９０は、例えば光ディスク、光磁気ディスク等をされる。例えばＣＤ（Compact Disc）方式、ＤＶＤ（Digital Versatile Disc）方式、ブルーレイディスク（Blu-Ray Disc）方式、ＭＤ（Mini Disc）方式などの各種方式の記録可能型のディスクが記録メディア９０として考えられる。これらのディスクが記録メディア９０とされる場合、メディアドライブ７３は、ディスク種別に対応したエンコード処理、エラー訂正コード処理、或いは圧縮処理等を施して、オーディオデータをディスクに記録する。
また記録メディア９０としてハードディスクも想定され、その場合、メディアドライブ７３は、いわゆるＨＤＤ（ハードディスクドライブ）として構成される。
さらに記録メディア９０は、固体メモリを内蔵した可搬性のメモリカード、或いは内蔵型固体メモリとしても実現でき、その場合メディアドライブ７３は、メモリカード或いは内蔵型固体メモリに対する記録装置部として構成され、必要な信号処理を行ってオーディオデータ記録を行う。
【００５０】
なお図７には示していないが、例えば記録メディア９０に記録したオーディオデータをメディアドライブ７３で再生し、その再生したオーディオデータをデコードして出力する音声再生出力系を備えることは当然考えられる。
またメディアドライブ７３で再生したオーディオデータを外部インターフェース６６を介して外部機器に転送することもできる。
さらに上記のＣＤ、ＤＶＤ、ブルーレイディスク、ＭＤ、メモリカード等の可搬性の記録メディア９０に記録した場合は、その記録メディア９０を外部機器で再生させることで、ユーザーはホログラムメモリ１から読み出した音楽等を聞くことができる。
【００５１】
［４．ホログラムメモリに対する再生動作］
例えば上記のような構成の再生装置によってホログラムメモリ１からデータを読み取る際の動作例について説明する。
図３，図５では、記録時には参照光の角度を固定して、ＨＰＯ（Horizontal Parallax Only）の光学系で様々な画像を記録する方式を説明したが、このような記録を行った場合は、基本的には再生時には参照光の角度を固定し、イメージャの角度を変化させることが望ましい。
図８は、上記再生装置５０においてレンズ系５３とイメージャ５５の角度を変化させる読取方式を示している。即ち図６（ａ）のようにレンズ移動部５３ａを備えた再生装置５０において、このレンズ移動部５３ａの移動可能範囲で、レンズ系５３とイメージャ５５を一体的に移動させる移動ユニット８０を形成する。そして、この移動ユニットを、図７に示したスキャン機構７４によって図８に示すように回転方向に移動させて、ホログラムメモリ１に対する撮像方向の角度を変化させる。読取のための参照光Ｌ５を出力する発光素子５４は固定位置である。
つまりユーザーがホログラムメモリ１に対して再生装置５０を対向させた状態で読取を指示する操作を行ったら、システムコントローラ６１がカメラメカ制御部６７に指示してスキャン機構７４を駆動させ、移動ユニットを回転移動させる。このときにイメージャ５５によって順次得られる再生像の撮像データとして、図２の＃１〜＃ｘの撮像データが得られることになり、上記のように再生装置５０内でオーディオデータＤAを得る。
【００５２】
また、移動ユニット８０を回転方向に移動させるのではなく、図９に示すように、移動ユニット８０を平行移動させるように構成しても良い。
このように平行移動で再生像を取り込むようにすれば、移動ユニット８０の移動機構を簡単な構成とすることができる。但し、再生像に歪みが生じやすいという点があり、十分な歪み補正等の処理が必要となる。
また、図１０のように、イメージャ５５のサイズが十分に大きい場合には、撮像レンズ系５３のみを移動させる構成も考えられる。
【００５３】
また図６（ｂ）のような構成として撮像レンズ系５３側は固定とし、発光素子移動部５４ａにおいて発光素子をホログラムメモリ１に対して回転移動させることで、図１１に示すように、ホログラムメモリ１に対して照射する読み取り用の参照光Ｌ５の角度を変化させるようにしてもよい。
【００５４】
［５．他の方式のホログラムメモリ及び再生動作］
以上の実施の形態としては、ホログラフィックステレオグラム方式でのホログラムメモリ１を例としたが、他の記録方式のホログラムメモリ１でも本発明を適用できる。
例えば角度多重記録方式が考えられる。
フォトポリマーなどの「厚い記録媒体」を用いた場合には、同じ場所に２つ以上のホログラムを記録することが可能であることが知られている。
この原理を利用して、同じ場所に異なる参照光を用いて、異なる記録パターンを記録すれば、参照光の角度を変えることにより、異なる記録パターンを再生することが可能となる。このときの再生装置５０では、上記図１１のように参照光の照射角度を移動させる構成を採ればよい。
この場合も、たとえば参照光の角度が図２のθ２（例えば８０°〜１００°）の間で画像が視認でき、それ以外の角度θ１，θ３ではオーディオデータＤAによる画像パターンの再生像があらわれるようにデータを記録しておけばよい。
【００５５】
また波長多重記録方式も考えられる。
フォトポリマーなどの記録媒体には波長選択性があるために、同じ場所に異なる波長の光源を用いて、異なる記録パターンを記録すれば、参照光の波長を変えることにより、異なる記録パターンを再生することが可能となる。
例えば緑の光源でオーディオデータを記録し、赤の光源で画像データを記録した場合、図１２のように発光素子５４ａによる再生時の参照光Ｌ５を緑にすることでオーディオデータを再生できる。また、特に発光素子５４ｂとして赤の参照光Ｌ６を照射できるようにすれば、画像データの像を再生することができ、画像データとオーディオデータの混在が可能となる。また白色光で観察した場合には、データは緑色に、画像は赤色に見えるため、デザイン性にも優れている。
【００５６】
［６．実施の形態の効果及び変形例］
以上説明してきたように、本実施の形態によれば、ホログラムメモリの高密度記録という特性を生かしてオーディオデータＤA等のコンピュータデータを十分な容量、記録でき、さらに人がホログラムメモリ１自体を見たときに、画像を認識できるため、ホログラムメモリ１をデザイン性の高いものとしたり、付加価値の高いものとすることができる。
また再生装置側では、ホログラムメモリ１に対して所定の角度範囲で観察される再生像を取り込んでいき、オーディオデータＤAによる画像パターンを抽出していくことで、記録されたオーディオデータＤAを再生できる。
【００５７】
実施の形態では、画像データＤPの再生像は、ホログラムメモリ１の略正面方向から人が観察できるようにしたが、このようにすることで、画像データＤPの再生像が見えやすくなり、視認したときのデザイン性の向上に好適である。但し、使用状況や目的によっては、正面方向ではなく、斜め方向から画像データＤPの再生像が見えるようにしてもよい。
また、図２の角度θ２の範囲、つまり正面方向においてオーディオデータＤAによる画像パターンの再生像が観察されるようにすれば、再生装置５０のスキャン機構７４によるスキャン角度範囲を狭くすることができ、構成の簡略化に適しているという利点が得られる。
また、画像データＤPは再生像として立体画像が観察されるものでもよいし、立体ではない二次元画像が観察されるものでもよい。
【００５８】
また、第１の形式のデータとしてコンピュータデータを挙げ、またコンピュータデータとしてオーディオデータＤAをホログラムメモリ１に記録する例を説明してきたが、もちろん記録されるコンピュータデータの例は多様である。例えば静止画データ、動画データ、テキストデータ、プログラム／アプリケーションデータ等を、上述したオーディオデータＤAに代えて記録することも考えられる。
再生装置の構成は上記図７の構成に限られない。ホログラムメモリ１から再生したオーディオデータＤA等のコンピュータデータの出力形態も多様に考えられる。
またホログラムメモリ１は、それ自体がオーディオコンテンツ等のコンピュータデータの提供媒体として、現在一般に流通しているＣＤ、ＤＶＤのようなパッケージメディア形態でユーザーに販売、提供されるものでもよいし、ポスターや書籍などに貼付されたり印刷形成されて、ユーザーが再生装置を用いてオーディオデータ等を入手できるような形態とされてもよい。
【図面の簡単な説明】
【００５９】
【図１】本発明の実施の形態のホログラムメモリの説明図である。
【図２】実施の形態のホログラムメモリの再生像の説明図である。
【図３】実施の形態のホログラムメモリの生成システムのブロック図である。
【図４】実施の形態のオーディオデータの記録単位としてのデータブロックの説明図である。
【図５】実施の形態のホログラムメモリを形成するホログラフィックステレオグラムプリンタの光学系の説明図である。
【図６】実施の形態の再生装置の外観例の説明図である。
【図７】実施の形態の再生装置のブロック図である。
【図８】実施の形態の再生装置による読み取り動作の説明図である。
【図９】実施の形態の再生装置による読み取り動作の説明図である。
【図１０】実施の形態の再生装置による読み取り動作の説明図である。
【図１１】実施の形態の再生装置による読み取り動作の説明図である。
【図１２】実施の形態の再生装置による読み取り動作の説明図である。
【符号の説明】
【００６０】
１  ホログラムメモリ、１１  画像データ生成部、１２  オーディオデータ生成部、１３  記録データ生成部、１４  制御用コンピュータ、１５、ホログラフィックステレオグラムプリンタ装置、５０  再生装置、５３  撮像レンズ系、５４  発光素子、５５  イメージャ、６１  システムコントローラ、７１  データ処理部
【図１】
2006292989.tif 000003
【図２】
2006292989.tif 000004
【図３】
2006292989.tif 000005
【図４】
2006292989.tif 000006
【図５】
2006292989.tif 000007
【図６】
2006292989.tif 000008
【図７】
2006292989.tif 000009
【図８】
2006292989.tif 000010
【図９】
2006292989.tif 000011
【図１０】
2006292989.tif 000012
【図１１】
2006292989.tif 000013
【図１２】
2006292989.tif 000014
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
記録データを記録単位毎に画像化し、該画像の物体光と参照光とを干渉させ、干渉縞によって上記記録データを記録する光記録媒体において、
第１の形式の記録データが記録された記録領域と、第２の形式の記録データが記録された記録領域とを有することを特徴とする光記録媒体。
【請求項２】
上記第１の形式の記録データは、上記光記録媒体から読み出された後、情報処理装置によって処理されるコンピュータデータであり、
上記第２の形式の記録データは、上記光記録媒体に記録された状態で、人の視覚による認識が可能な画像データであることを特徴とする請求項１に記載の光記録媒体。
【請求項３】
上記コンピュータデータは、オーディオデータであることを特徴とする請求項２に記載の光記録媒体。
【請求項４】
上記第２の形式の記録データは、上記光記録媒体の記録平面に対する略垂直方向からの観測時に観測されるように記録されていることを特徴とする請求項２に記載の光記録媒体。
【請求項５】
上記光記録媒体に記録される複数の記録単位の各記録データは、
位置固定された読み出し参照光に対して、異なる観測位置において各々観測されることを特徴とする請求項１に記載の光記録媒体。
【請求項６】
上記光記録媒体に記録される複数の記録単位の各記録データは、
位置固定された観測位置に対して、異なる読み出し参照光位置において各々観測されることを特徴とする請求項１に記載の光記録媒体。
【請求項７】
上記光記録媒体に記録される第１の形式の記録データは、第１の波長の参照光を用いて記録され、
上記第２の形式の記録データは、上記第１の波長とは異なる第２の波長の参照光を用いて記録されたことを特徴とする請求項１に記載の光記録媒体。
【請求項８】
上記第１の形式の記録データとしての１又は複数の記録単位の記録データには、上記第１の形式の記録データであることを識別するための識別データが含まれていることを特徴とする請求項１に記載の光記録媒体。
【請求項９】
上記第１の形式の記録データとしての１又は複数の記録単位の記録データには、エラー訂正コードが含まれていることを特徴とする請求項１に記載の光記録媒体。
【請求項１０】
記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体を再生する再生装置として、
読み出し参照光を出力する参照光出力手段と、
上記参照光出力手段により上記光記録媒体に読み出し参照光を与えた状態で、上記光記録媒体に記録された各記録単位毎の再生像を検出する検出手段と、
上記検出手段で検出された各記録単位毎の再生像をデータ列に変換すると共に、上記第１の形式のデータのみを抽出して再生データとして処理する再生処理手段と、
を備えたことを特徴とする再生装置。
【請求項１１】
上記参照光出力手段は、上記光記録媒体に対して固定の位置状態で読み出し参照光を照射し、
上記検出手段は、上記光記録媒体に対して観測位置を変化させながら、上記各記録単位毎の再生像を検出していくことを特徴とする請求項１０に記載の再生装置。
【請求項１２】
上記参照光出力手段は、上記光記録媒体に対して位置を変化させながら参照光を照射し、
上記検出手段は、固定の観測位置において、上記読み出し参照光の位置変化に応じて上記各記録単位毎の再生像を検出していくことを特徴とする請求項１０に記載の再生装置。
【請求項１３】
上記光記録媒体に記録される第１の形式の記録データは、第１の波長の参照光を用いて記録され、上記第２の形式の記録データは、上記第１の波長とは異なる第２の波長の参照光を用いて記録されており、
上記参照光出力手段は、上記第１の波長の参照光を出力することを特徴とする請求項１０に記載の再生装置。
【請求項１４】
上記光記録媒体に記録された上記第１の形式の記録データとしての１又は複数の記録単位の記録データには、上記第１の形式の記録データであることを識別するための識別データが含まれており、
上記再生処理手段は、上記識別データに基づいて上記第１の形式のデータのみを抽出することを特徴とする請求項１０に記載の再生装置。
【請求項１５】
上記光記録媒体に記録された上記第１の形式の記録データとしての１又は複数の記録単位の記録データには、エラー訂正コードが含まれており、
上記再生処理手段は、上記エラー訂正コードを用いた訂正処理結果に基づいて上記第１の形式のデータのみを抽出することを特徴とする請求項１０に記載の再生装置。
【請求項１６】
記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体を再生する再生方法として、
読み出し参照光を上記光記録媒体に与えた状態で、上記光記録媒体に記録された各記録単位毎の再生像を検出する検出ステップと、
上記検出ステップで検出された各記録単位毎の再生像をデータ列に変換すると共に、上記第１の形式のデータのみを抽出して再生データとして処理する再生処理ステップと、
を備えたことを特徴とする再生方法。
【手続補正２】
【補正対象書類名】明細書
【補正対象項目名】０００４
【補正方法】変更
【補正の内容】
【０００４】
ところでホログラム記録媒体は、記録密度を飛躍的に向上させ、著しい大容量化が可能であることも知られている。このためホログラム記録媒体は、３次元画像を再生のためだけでなく、例えばコンピュータデータとしての各種データを記録する記録媒体としても有用であると考えられている。
例えば上記ホログラフィックステレオグラム方式を応用する場合、コンピュータデータを所定の記録単位毎に２次元画像化する。例えばいわゆる二次元バーコードやその一種であるＱＲコード（商標）のような画像パターンを生成する。そして記録単位毎の２次元画像としての画像パターンを多数生成し、それぞれを短冊状の要素ホログラムとして記録していく。このようにすると、従来の印刷による二次元バーコードに比べて記録密度を飛躍的に向上させることが可能となる。
【手続補正３】
【補正対象書類名】明細書
【補正対象項目名】０００５
【補正方法】変更
【補正の内容】
【０００５】
ところが、当然ながら、このようにホログラム記録媒体にコンピュータデータを記録する場合、あくまでも専用の読み取り装置でデータを再生することを前提となっており、そのホログラム記録媒体に対する視認性は考慮されない。
つまり、コンピュータデータを記録した場合、人がそのホログラム記録媒体を見たときの見た目としては、二次元バーコードと同様のランダムなドット模様が見えるのみである。
またディスクなどと異なりジャケット写真などによる内容の把握を行わせることは困難であるため、ホログラム記録媒体に記録されたデータに関する情報を視認することは困難である。
【手続補正４】
【補正対象書類名】明細書
【補正対象項目名】０００７
【補正方法】変更
【補正の内容】
【０００７】
本発明の光記録媒体は、記録データを記録単位毎に画像化し、該画像の物体光と参照光とを干渉させ、干渉縞によって上記記録データを記録する光記録媒体であり、第１の形式の記録データが記録された記録領域と、第２の形式の記録データが記録された記録領域とを有する。
上記第１の形式の記録データは、上記光記録媒体から読み出された後、情報処理装置によって処理されるコンピュータデータであり、上記第２の形式の記録データは、上記光記録媒体に記録された状態で、人の視覚による認識が可能な画像データである。上記コンピュータデータは、例えばオーディオデータである。
また、上記第２の形式の記録データは、上記光記録媒体の記録平面に対する略垂直方向からの観測時に観測されるように記録されている。
また上記光記録媒体に記録される複数の記録単位の各記録データは、位置固定された読み出し参照光に対して、異なる観測位置において各々観測される。
また上記光記録媒体に記録される複数の記録単位の各記録データは、位置固定された観測位置に対して、異なる読み出し参照光位置において各々観測される。
また、上記光記録媒体に記録される第１の形式の記録データは、第１の波長の参照光を用いて記録され、上記第２の形式の記録データは、上記第１の波長とは異なる第２の波長の参照光を用いて記録されている。
また上記第１の形式の記録データとしての１又は複数の記録単位の記録データには、上記第１の形式の記録データであることを識別するための識別データが含まれている。
また上記第１の形式の記録データとしての１又は複数の記録単位の記録データには、エラー訂正コードが含まれている。
【手続補正５】
【補正対象書類名】明細書
【補正対象項目名】０００８
【補正方法】変更
【補正の内容】
【０００８】
本発明の再生装置は、記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体を再生する再生装置である。そして、読み出し参照光を出力する参照光出力手段と、上記参照光出力手段により上記光記録媒体に読み出し参照光を与えた状態で、上記光記録媒体に記録された各記録単位毎の再生像を検出する検出手段と、上記検出手段で検出された各記録単位毎の再生像をデータ列に変換すると共に、上記第１の形式のデータのみを抽出して再生データとして処理する再生処理手段とを備える。
また上記参照光出力手段は、上記光記録媒体に対して固定の位置状態で読み出し参照光を照射し、上記検出手段は、上記光記録媒体に対して観測位置を変化させながら、上記各記録単位毎の再生像を検出していく。
或いは、上記参照光出力手段は、上記光記録媒体に対して位置を変化させながら参照光を照射し、上記検出手段は、固定の観測位置において、上記読み出し参照光の位置変化に応じて上記各記録単位毎の再生像を検出していく。
或いは、上記光記録媒体に記録される第１の形式の記録データは、第１の波長の参照光を用いて記録され、上記第２の形式の記録データは、上記第１の波長とは異なる第２の波長の参照光を用いて記録されており、上記参照光出力手段は、上記第１の波長の参照光を出力する。
また上記光記録媒体に記録された上記第１の形式の記録データとしての１又は複数の記録単位の記録データには、上記第１の形式の記録データであることを識別するための識別データが含まれており、上記再生処理手段は、上記識別データに基づいて上記第１の形式のデータのみを抽出する。
また上記光記録媒体に記録された上記第１の形式の記録データとしての１又は複数の記録単位の記録データには、エラー訂正コードが含まれており、上記再生処理手段は、上記エラー訂正コードを用いた訂正処理結果に基づいて上記第１の形式のデータのみを抽出する。
【手続補正６】
【補正対象書類名】明細書
【補正対象項目名】０００９
【補正方法】変更
【補正の内容】
【０００９】
本発明の再生方法は、記録データを記録単位毎に画像化し、該画像の物体光と参照光とを干渉させ、干渉縞によって上記記録データを記録する光記録媒体であって、情報処理装置によって処理されるコンピュータデータである第１の形式のデータと、上記光記録媒体に記録された状態で人の視覚による認識が可能な画像データである第２の形式のデータとが記録された光記録媒体を再生する再生方法として、読み出し参照光を上記光記録媒体に与えた状態で、上記光記録媒体に記録された各記録単位毎の再生像を検出する検出ステップと、上記検出ステップで検出された各記録単位毎の再生像をデータ列に変換すると共に上記第１の形式のデータのみを抽出して再生データとして処理する再生処理ステップとを備える。
【手続補正７】
【補正対象書類名】明細書
【補正対象項目名】００２９
【補正方法】変更
【補正の内容】
【００２９】
ホログラフィックステレオグラムプリンタ装置１５は、例えば図５に示す光学系を備える。なお、図５（ａ）は、ホログラフィックステレオグラムプリンタ装置１５全体の光学系を上方から見た図であり、図５（ｂ）は、ホログラフィックステレオグラムプリンタ装置１５の光学系の物体光用の部分を横方向から見た図である。
【手続補正８】
【補正対象書類名】明細書
【補正対象項目名】００４１
【補正方法】変更
【補正の内容】
【００４１】
例えばＬＥＤによる発光素子５４は、発光駆動回路７５によって発光される。発光駆動回路７５は、当該再生装置５０によってホログラムメモリ１の再生を行う場合に、システムコントローラ６１の指示によって発光素子５４を発光駆動する。
スキャン機構７４は、例えば図６（ａ）のように設けられているレンズ移動部５３ａ内で、レンズ系５３（レンズ系５３とイメージャ５５）を移動させる機構である。或いは図６（ｂ）のように設けられている発光素子移動部５４ａ内で発光素子５４を移動させる機構である。
【手続補正９】
【補正対象書類名】明細書
【補正対象項目名】００４９
【補正方法】変更
【補正の内容】
【００４９】
またデータ処理部７１で得られたオーディオデータＤAとしてのオーディオストリームデータは、メディアドライブ７３に供給されて記録メディア９０に記録されるようにしてもよい。
記録メディア９０は、例えば光ディスク、光磁気ディスク等とされる。例えばＣＤ（Compact Disc：商標）方式、ＤＶＤ（Digital Versatile Disc：商標）方式、ブルーレイディスク（Blu-ray Disc：商標）方式、ＭＤ（Mini Disc：商標）方式などの各種方式の記録可能型のディスクが記録メディア９０として考えられる。これらのディスクが記録メディア９０とされる場合、メディアドライブ７３は、ディスク種別に対応したエンコード処理、エラー訂正コード処理、或いは圧縮処理等を施して、オーディオデータをディスクに記録する。
また記録メディア９０としてハードディスクも想定され、その場合、メディアドライブ７３は、いわゆるＨＤＤ（ハードディスクドライブ）として構成される。
さらに記録メディア９０は、固体メモリを内蔵した可搬性のメモリカード、或いは内蔵型固体メモリとしても実現でき、その場合メディアドライブ７３は、メモリカード或いは内蔵型固体メモリに対する記録装置部として構成され、必要な信号処理を行ってオーディオデータ記録を行う。